(57)【要約】      （修正有）【課題】設置する棒の数量が少なく、また、使用者による任意の数量調整が出来ない欠陥を改善するフック装置を提供する。【解決手段】フック装置は、複数の吊るしフック１、掛けフック３、および、複数の定位鞘１６、からなる。吊るしフック１は、二横板の間に、二立板を固定し、二横板間に立板に平行なチャネルを構成し、二立板は傾斜した吊るし棒を設置する。吊るし帯２は、撓性のある帯体を有し、複数の通孔を形成し、吊るし帯２はチャネルを通過し、定位鞘１６により、吊るし帯２の通孔内を通過し、定位鞘１６がチャネル下方で係止して、吊るしフック１を支承する。掛けフック３は、槽孔、および、相対する両端の第一フック部と第二フック部を有し、吊るし帯２の通孔を有する部位が掛けフック３の槽孔を通過した後、定位鞘１６を通孔に挿入し、定位鞘１６が槽孔で係止して、掛けフック３と吊るし帯２を固定する。【選択図】図５
0003151385.tif 000002
【実用新案登録請求の範囲】
【請求項１】
フック装置であって、
二横板の間に固定鞘により二立板を固定し、前記の二横板間に、前記立板に平行なチャネルを構成し、前記の二立板の一側、或いは、両側も固定鞘により、傾斜した吊るし棒を設置する吊るしフックと、
撓性のある二帯体を対応させて固定し、前記の二帯体の間に複数の通孔を形成し、前記吊るしフックのチャネルを通過する吊るし帯と、
直径が前記吊るしフックのチャネル幅より大きく、前記吊るし帯の通孔内を通過し、前記吊るしフックのチャネル下方で係止して、前記吊るしフックを支承する複数の定位鞘と、
槽孔、および、相対する両端の第一フック部と第二フック部を有し、前記吊るし帯の通孔を有する部位が前記槽孔を通過した後、前記定位鞘を前記通孔に挿入し、前記定位鞘が前記槽孔で係止する掛けフックと、
からなることを特徴とするフック装置。
【請求項２】
前記吊るし帯は単一の帯体で、湾曲して円にした後縫製して、一側が複数の通孔を有することを特徴とする請求項１に記載のフック装置。  
【請求項３】
吊るしハンガーにより前記吊るしフックを代替し、前記吊るしハンガーは、前記吊るし帯を通過する槽孔を有し、前記吊るし帯の通孔を有する部位が前記吊るしハンガーの槽孔を通過後、前記定位鞘が前記通孔に挿入されて、前記定位鞘が前記槽孔で係止することを特徴とする請求項２に記載のフック装置。
【考案の詳細な説明】
【技術分野】
【０００１】
本考案は、フック装置に関するものであって、特に、組み立て、直列、調整、分解が容易であるフック装置に関するものである。
【背景技術】
【０００２】
公知の衣裳フックを使用した人にとって、衣裳フックが占める空間が大きく、また、公知の衣裳フックは直立の柱上に、衣類を掛ける複数の棒を設置しているが、棒の数量が少なく、必要に応じて数量を増減することができないので、使用範囲が制限されてしまうという問題に直面する。
ドア後方に設置する掛けフックは通常、螺子で鎖固するか、粘着方式でドア表面に粘着する。ドア上縁に掛けられた掛けフックは、掛けフックの上方にドア上縁と適合する掛け部を設置し、衣類を掛ける複数のフックを設置するものであるが、物品を掛けるフック数量が更に少なく、その数量も調整できない。
【考案の概要】
【考案が解決しようとする課題】
【０００３】
本考案の目的は、公知の衣裳フックが室内の空間を占有することや、設置する棒の数量が少なく、また、使用者による任意の数量調整が出来ない欠陥を改善するフック装置を提供することである。
【課題を解決するための手段】
【０００４】
本考案のフック装置は、吊るし帯に複数の通孔を設置し、吊るし帯が複数の吊るしフックに設けられたチャネルを通過後、定位鞘を吊るし帯の通孔に挿入して、定位鞘が吊るしフックのチャネル下方で係止し、吊るし帯が複数の吊るしフックを直列固定する。吊るしフックは使用者の必要に応じて所望の数量を直列することができる。
本考案のフック装置は、吊るしフックの両側、或いは、一側に傾斜した吊るし棒を設置するもので、吊るしハンガーにより吊るしフックを代替することもできる。
【考案の効果】
【０００５】
本考案のフック装置により、公知の衣裳フックが室内の空間を占有することや、設置する棒の数量が少なく、また、使用者による任意の数量調整が出来ない欠陥を改善することができる。
【図面の簡単な説明】
【０００６】
【図１】本考案の第一実施例によるフック構造の立体図である。
【図２】本考案の第一実施例によるフックの立体分解図である。
【図３】本考案の第一実施例のフックの断面図である。
【図４】本考案の吊るし帯の立体図である。
【図５】本考案の吊るし帯と複数の吊るしフックの組み合わせ状態の立体図である。
【図６】本考案の吊るし帯と第一実施例の吊るしフックの組み合わせ後の断面図である。
【図７】本考案の第二実施例のフック構造の立体図である。
【図８】本考案の第二実施例によるフックの立体分解図である。
【図９】本考案の第二実施例のフックの断面図である。
【図１０】本考案の吊るし帯と吊るしフックの組み合わせ後の断面図である。
【図１１】本考案の吊るし帯と吊るしフックとの組み合わせ関係の立体分解図である。
【図１２】本考案の吊るし帯と複数の吊るしフック組み合わせ後の立体図である。
【図１３】本考案の吊るし帯と吊るしフック組み合わせ後の断面図である。
【実施例１】
【０００７】
図１〜図３は、本考案のフック装置に含まれるフック１の第一実施例を示す図で、その構造は、二立板１１からなり、二立板１１の上端両側はそれぞれ横板１２を設置する。横板１２は、予め、鞘孔１２１を開けてあり、立板１１を貫通している。第一固定鞘１５Aにより鞘孔１２１を通過して、両横板１２と立板１１を固定し、両横板１２の間にチャネル１３を形成する。両立板１１下端の相対する両側は、それぞれ、傾斜した吊るし棒１４を設置し、吊るし棒１４と立板１１は対応する貫通孔を設置する。第二固定鞘１５Bにより吊るし棒１４と立板１１の貫通孔を通過し、第二固定鞘１５Bと貫通孔の間は粘着剤を塗布し、吊るし棒１４は安定して立板１１に固定され、傾斜状態下で、物品を掛けるときの重量を支える。
図４は、本考案の吊るし帯２の実施例を示す図で、帆布等の撓性のある材料により帯体を形成する。両帯体を対応させた後、縫製により両帯体を固定し、未縫製の位置に通孔２１を残す。通孔２１の内径は定位鞘１６の直径とほぼ等しく、定位鞘１６が通孔２１内に挿入できる。図４は、同時に、本考案の掛けフック３を示し、相対する両側に第一フック部３１と第二フック部３２を有し、第一フック部３１は湾曲して門型で、第二フック３２は円弧形である。掛けフック３の適当な位置に、吊るし帯２を通過させる槽孔３３を設置する。
図５は、本考案の第一実施例による吊るしフック１と吊るし帯２の直列組み合わせ方式を示す図で、吊るし帯２は、複数の吊るしフック１のチャネル１３を順に通過し、吊るし帯２の各通孔２１をチャネル１３の下方に位置させ、更に、定位鞘１６を通孔２１に挿入し、吊るしフックを放すとき、重力により、直径がチャネル１３の幅より大きい定位鞘１６が横板１２下縁で係止し（図６で示される）、吊るしフック１を支承する。図５は、同時に、掛けフック３の第一フック部３１の上方に吊るし帯２が組み合わされる方式を示し、通孔２１の位置の吊るし帯２が槽孔３３を通過した後、同様に、定位鞘１６を通孔２１内に挿入し、定位鞘１６を槽孔３３辺縁に係止させ、掛けフック３と吊るし帯２を固定することができる。門型の第一フック３１はドアの上縁に掛けることができる。使用者も、第二フック３２を上方向で、前述の組み合わせ方式により、掛けフック３を吊るし帯２に設置し、円弧形の第二フック部３２が吊るし棒に吊るされる。
【実施例２】
【０００８】
図７〜図９は、本考案の吊るしフック１の第二実施例を示す図で、その構造は、第一実施例とほぼ同じであるが、異なるのは、立板１１の一側だけに傾斜した吊るし棒１４を設置していることである。即ち、同様に、二立板１１を有し、二立板１１上端の両側にそれぞれ、一横板１２を設置し、横板１２は予め鞘孔１２１を開けて、立板を貫通し、第一固定鞘１５Aにより鞘孔１２１を通過して、両横板１２と立板１１を固定し、両横板１２の間にチャネル１３を形成する。両立板１１下端の一側は、傾斜した吊るし棒１４を設置し、吊るし棒１４と立板１１は対応する貫通孔を設置する。第二固定鞘１５Bにより吊るし棒１４と立板１１の貫通孔を通過し、第二固定鞘１５Bと貫通孔の間は粘着剤を塗布し、吊るし棒１４は安定して立板１１に固定され、物品を掛けるときの重量を支える。
図７で示される吊るしフックの直列組み合わせ時、吊るし帯２は、複数の吊るしフック１のチャネル１３を順に通過し、吊るし帯２の各通孔２１をチャネル１３の下方に位置させ、更に、定位鞘１６を通孔２１に挿入し、直径がチャネル１３の幅より大きい定位鞘１６が横板１２下縁に係止し（図１０で示される）、吊るしフック１を支承する。
図１１は、本考案の吊るし帯２のもう一つの実施例を示す図であり、単一の帯体からなり、帯体の所定位置を湾曲させて、複数の円を形成後、縫製により一側に複数の通孔２２を固定する。この他、本考案は、吊るしハンガー４を提供し、前述の吊るしフック１を代替することもできる。吊るしハンガー４は、吊るし帯２が通過する槽孔４１を有する。図１１で示される吊るし帯２と吊るしハンガー４の組み合わせ方式は、吊るし帯２の通孔２２を有する部分が、吊るしハンガー４の槽孔４１を通過後、定位鞘１６を吊るし帯の通孔２２内に挿入し、定位鞘１６が槽孔４１で係止し（図１３で示される）、複数の吊るしハンガー４を吊るし帯２に直列することができる（図１２で示される）。同様に、吊るし帯２の最上方の通孔２２を有する位置は、掛けフック３の槽孔３３を通過後、定位鞘１６により通孔２２に挿入して係止し、掛けフック３がドアの上円か吊るし棒に掛けられる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００９】
フック１
吊るし帯２
掛けフック３
吊るしハンガー４
立板１１
横板１２
鞘孔１２１
チャネル１３
吊るし棒１４
第一固定鞘１５A
第二固定鞘１５B
定位鞘１６
通孔２１
通孔２２
第一フック部３１
第二フック部３２
槽孔３３
槽孔４１
【図１】
0003151385.tif 000003
【図２】
0003151385.tif 000004
【図３】
0003151385.tif 000005
【図４】
0003151385.tif 000006
【図５】
0003151385.tif 000007
【図６】
0003151385.tif 000008
【図７】
0003151385.tif 000009
【図８】
0003151385.tif 000010
【図９】
0003151385.tif 000011
【図１０】
0003151385.tif 000012
【図１１】
0003151385.tif 000013
【図１２】
0003151385.tif 000014
【図１３】
0003151385.tif 000015